(57)【特許請求の範囲】
【請求項１】
各チャネル毎の送信データのＩ相拡散信号及びＱ相拡散信号を合成し、該合成した各々の信号をＤ／Ａ変換し、該Ｄ／Ａ変換した信号の各々を直交変調し、該直交変調した信号を送信電力制御値でゲイン調整して送信出力を行うＣＤＭＡ信号の送信電力制御方法において、
前記合成したＩ相拡散信号及びＱ相拡散信号より全拡散信号の総電力値を検出し、
この検出した総電力値によって重み付け係数αを更新し、
拡散信号に対して外部から入力された送信電力制御値Ｔと前記重み付け係数αの比Ｔ／αを前記合成の際に乗算し、
前記乗算及び合成されたＩ相及びＱ相の各々の拡散信号を前記直交変調し、
該直交変調した信号を前記重み付け係数αを新たな送信電力制御値としてゲイン調整することを特徴としたＣＤＭＡ信号の送信電力制御方法。
【請求項２】
複数チャネルのＩ相拡散信号を合成するＩ相合成部と、該Ｉ相合成部により合成されたＩ相拡散信号をＤ／Ａ変換するＩ相Ｄ／Ａ変換器と、複数チャネルのＱ相拡散信号を合成するＱ相合成部と、該Ｑ相合成部により合成されたＱ相拡散信号をＤ／Ａ変換するＱ相Ｄ／Ａ変換器と、前記Ｉ相Ｄ／Ａ変換器とＱ相Ｄ／Ａ変換器から出力される信号を直交変調する直交変調部と、該直交変調部からの信号を送信電力制御値によりゲイン調整して送信出力するアンプ部と、より構成されるＣＤＭＡ通信装置の送信電力制御装置において、
総電力検出部と、送信電力制御部と、を備え、
前記総電力検出部は、前記Ｉ相合成部及びＱ相合成部の出力より全拡散信号の総電力値を検出して送信電力制御部へ出力し、
前記送信電力制御部は、該送信電力制御装置の外部より入力された前記送信電力制御値Ｔと、前記総電力検出部から入力される前記総電力値により算出した重み付け係数αの比Ｔ／αを前記Ｉ相合成部及びＱ相合成部に出力し、
一方前記算出した重み付け係数αを新たな送信電力制御値として前記アンプ部に出力し、
前記Ｉ相合成部は、入力されるＩ相拡散信号に前記の比Ｔ／αを乗算すると共に合成して出力し、
前記Ｑ相合成部は、入力されるＱ相拡散信号に前記の比Ｔ／αを乗算すると共に合成して出力し、
前記ゲイン調整して送信出力するアンプ部は、前記Ｉ相合成部及び前記Ｑ相合成部から出力されて前記直交変調部を経た信号を前記重み付け係数αによりゲイン調整して出力する
ことを特徴とするＣＤＭＡ通信装置の送信電力制御装置。
【請求項３】
複数チャネルのＩ相拡散信号を加算するＩ相加算器と、該Ｉ相加算器により加算されたＩ相拡散信号をＤ／Ａ変換するＩ相Ｄ／Ａ変換器と、複数チャネルのＱ相拡散信号を加算するＱ相加算器と、該Ｑ相加算器により加算されたＱ相拡散信号をＤ／Ａ変換するＱ相Ｄ／Ａ変換器と、前記Ｉ相Ｄ／Ａ変換器とＱ相Ｄ／Ａ変換器から出力される信号を直交変調する直交変調部と、該直交変調部からの信号を送信電力制御値によりゲイン調整して送信出力するアンプ部と、より構成されるＣＤＭＡ通信装置の送信電力制御装置において、
総電力検出部と、送信電力制御部と、複数のＩ相乗算器と、複数のＱ相乗算器と、を備え、
前記総電力検出部は、前記Ｉ相加算器及びＱ相加算器の出力より全拡散信号の総電力値を検出して送信電力制御部へ出力し、
前記送信電力制御部は、該送信電力制御装置の外部より入力された各チャネルに対する複数の前記送信電力制御値Ｔ１、Ｔ２…Ｔｎと、前記総電力検出部から入力される前記総電力値により算出した複数の重み付け係数αの比Ｔ１／α、Ｔ２／α…Ｔｎ／αを前記複数のＩ相乗算器及びＱ相乗算器にそれぞれ出力し、一方前記算出した重み付け係数αを新たな送信電力制御値として前記アンプ部に出力し、
前記複数のＩ相乗算器は、各々入力されるＩ相拡散信号と前記複数の比Ｔ１／α、Ｔ２／α…Ｔｎ／αをそれぞれ乗算して前記Ｉ相加算器に入力し、
前記複数のＱ相乗算器は、各々入力されるＱ相拡散信号と前記複数の比Ｔ１／α、Ｔ２／α…Ｔｎ／αをそれぞれ乗算して前記Ｑ相加算器に入力し、
前記Ｉ相加算器は、前記複数の乗算器から入力された複数のＩ相拡散信号を加算して出力し、
前記Ｑ相加算器は、前記複数の乗算器から入力された複数のＱ相拡散信号を加算して出力し、
前記ゲイン調整して送信出力するアンプ部は、前記Ｉ相合成部及び前記Ｑ相合成部から出力されて前記直交変調部を経た信号を前記重み付け係数αによりゲイン調整して出力する
ことを特徴とするＣＤＭＡ通信装置の送信電力制御装置。
【請求項４】
複数チャネルのＩ相拡散信号を加算するＩ相加算器と、該Ｉ相加算器により加算されたＩ相拡散信号をＤ／Ａ変換するＩ相Ｄ／Ａ変換器と、複数チャネルのＱ相拡散信号を加算するＱ相加算器と、該Ｑ相加算器により加算されたＱ相拡散信号をＤ／Ａ変換するＱ相Ｄ／Ａ変換器と、前記Ｉ相Ｄ／Ａ変換器とＱ相Ｄ／Ａ変換器から出力される信号を直交変調する直交変調部と、該直交変調部からの信号を送信電力制御値によりゲイン調整して送信出力するアンプ部と、より構成されるＣＤＭＡ通信装置の送信電力制御装置において、
総電力検出部と、送信電力制御部と、Ｉ相乗算器と、Ｑ相乗算器と、を備え、
前記総電力検出部は、前記Ｉ相乗算器及びＱ相乗算器の出力より全拡散信号の総電力値を検出して送信電力制御部へ出力し、
前記送信電力制御部は、該送信電力制御装置の外部より入力された前記送信電力制御値Ｔと、前記総電力検出部から入力される前記総電力値により算出した重み付け係数αの比Ｔ／αを前記Ｉ相乗算器及びＱ相乗算器に出力し、一方前記算出した重み付け係数αを新たな送信電力制御値として前記アンプ部に出力し、
前記Ｉ相乗算器は、前記Ｉ相加算器からの入力と前記の比Ｔ／αを乗算して総電力検出部及び前記Ｉ相Ｄ／Ａ変換器に入力し、
前記Ｑ相乗算器は、前記Ｑ相加算器からの入力と前記の比Ｔ／αを乗算して総電力検出部及び前記Ｑ相Ｄ／Ａ変換器に入力し、
前記ゲイン調整して送信出力するアンプ部は、前記Ｉ相合成部及び前記Ｑ相合成部から出力されて前記直交変調部を経た信号を前記重み付け係数αによりゲイン調整して出力する
ことを特徴とするＣＤＭＡ通信装置の送信電力制御装置。
【請求項５】
請求項２又は請求項３又は請求項４記載の送信電力制御装置を含み、
送信を行う各チャネル毎に拡散符号を与えて拡散信号とし、
入力される受信信号により前記送信電力制御値Ｔを請求項２又は請求項３又は請求項４記載の送信電力制御装置に与えることを特徴とする
ＣＤＭＡ通信システムの基地局。
【発明の詳細な説明】
【０００１】
【発明の属する技術分野】
本発明はＣＤＭＡ(Code  Division  Multiple  Access：符号分割多元接続)における送信電力制御方法及び送信電力制御装置及びそれを備えた基地局に関するものあり、特に重み付けによるゲイン調整を行い直交変調に入力される信号がダイナミックレンジを越えない制御を行う技術に関するものである。
【０００２】
【従来の技術】
ＣＤＭＡ通信においては、複数の拡散信号（コード）を多重化するコード多重伝送時における送信電力制御が必須な技術となっている。
従来の技術について図面を用いて説明する。
【０００３】
図７は従来の第１の送信電力制御装置例であり、複数チャネルのＩ相拡散信号を合成するＩ相合成部１３と、該Ｉ相合成部１３により合成されたＩ相拡散信号をＤ／Ａ変換するＩ相Ｄ／Ａコンバータ（Ｉ相Ｄ／Ａ変換器１５）と、複数チャネルのＱ相拡散信号を合成するＱ相合成部１４と、該Ｑ相合成部１４により合成されたＱ相拡散信号をＤ／Ａ変換するＱ相Ｄ／Ａコンバータ（Ｑ相Ｄ／Ａ変換器１６）と、前記Ｉ相Ｄ／Ａ変換器１５とＱ相Ｄ／Ａ変換器１６から出力される信号を直交変調する直交変調部１７と、該直交変調部１７からの信号を送信電力制御値によりゲイン調整して送信出力するアンプ部１８と、より構成されている。
【０００４】
また、ＣＤＭＡ通信における送信電力制御装置としては、公開特許公報、特開平１０−４１９１９号などにその一例の技術が公開されており、また送信電力制御装置を組込んだＣＤＭＡ基地局としては、公開特許公報、特開平１０−２２９７７号などにも関連する技術が公開されている。
【０００５】
ここで図８は従来の第２の送信電力制御装置例であり、前述した従来の第１の送信電力制御装置例（図７）のＩ相合成部１３及びＱ相合成部１４について具体的に示したものである。これらの動作について図８を用いて次に詳述する。
まず、ｎコード数のＩ相及びＱ相の拡散信号（ディジタル値）がこの装置に入力してきたとする。各コードの信号電力値はこの時点に於いては一定であり、信号電力値をＰとする。
Ｉ相加算器２１は各コードのＩ相の拡散信号を全加算し、Ｑ相加算器２２は各コードのＱ相の拡散信号を全加算し、その結果としてのＩ相加算信号及びＱ相加算信号を得て、それぞれＩ相Ｄ／Ａ変換器１５及びＱ相Ｄ／Ａ変換器１６に出力する。
各加算器２１、２２出力後の信号電力値は各コードの信号電力値の単純加算であり、Ｐが一定であるので信号電力値はｎＰとなる。
【０００６】
Ｉ相Ｄ／Ａ変換器１５は入力された全コードのＩ相加算信号をＤ／Ａ変換し、またＱ相Ｄ／Ａ変換器１６は入力された全コードのＱ相加算信号をＤ／Ａ変換し、その結果としてのＩ相加算アナログ信号及びＱ相加算アナログ信号を直交変調部１７に出力する。
直交変調部１７は各Ｄ／Ａ変換器１５、１６から入力してきたＩ相加算アナログ信号及びＱ相加算アナログ信号を直交変調し、その結果としての直交変調信号をアンプ部１８に出力する。
アンプ部１８は直交変調部１７から入力してきた直交変調信号を、外部回路（図示せず）から入力してきた送信電力制御値Ｔによってゲイン調整した無線信号を送信する。
この場合、アンプ部１８から出力した無線信号の信号電力値はｎＰＴとなる。この一連の動作により、コード多重伝送時の送信電力制御を行っている。
【０００７】
【発明が解決しようとする課題】
このような従来の送信電力制御装置においては、図６に示すような信号電力値を示す場合がある。図６は従来の送信電力制御装置例における信号電力値を示す波形のイメージである。
【０００８】
図８においてＩ相加算器２１及びＱ相加算器２２は単純に加算するだけなので、加算後の信号電力値は各コードの信号電力値を全加算した結果となる。
ところが一般的に直交変調部の入力ダイナミックレンジは狭いので、全加算後の信号電力値ｎＰが直交変調部の入力ダイナミックレンジを超えてしまう場合が起こり得る。
この場合、直交変調部に対する過入力が起こり、出力する無線信号が歪む原因となって特性が劣化するという問題点があった。
また、各コード独立に送信電力制御を行うことが出来ないので、複数のコード多重伝送時には干渉源となる問題点があった。
【０００９】
本発明の目的は、従来技術の問題点である直交変調部に対する過入力を防ぐことにより、無線信号の歪みを無くし良好な特性を得ると共に、各コード別に送信電力制御を行うことにより複数のコード多重伝送時においても干渉を引き起こさないことのできるＣＤＭＡ信号の送信電力制御方法及び送信電力制御装置及びそれを備えた基地局を提供することにある。
【００１０】
【課題を解決するための手段】
上記従来の問題を解決するための本発明は、各チャネル毎の送信データのＩ相拡散信号及びＱ相拡散信号を合成し、該合成した各々の信号をＤ／Ａ変換し、該Ｄ／Ａ変換した信号の各々を直交変調し、該直交変調した信号を送信電力制御値でゲイン調整して送信出力を行うＣＤＭＡ信号の送信電力制御方法において、前記合成したＩ相拡散信号及びＱ相拡散信号より全拡散信号の総電力値を検出し、この検出した総電力値によって重み付け係数αを更新し、拡散信号に対して外部から入力された送信電力制御値Ｔと前記重み付け係数αの比Ｔ／αを前記合成の際に乗算し、前記乗算及び合成されたＩ相及びＱ相の各々の拡散信号を前記直交変調し、該直交変調した信号を前記重み付け係数αを新たな送信電力制御値としてゲイン調整することを特徴としたＣＤＭＡ信号の送信電力制御方法である。
【００１１】
上記従来の問題を解決するための本発明は、複数チャネルのＩ相拡散信号を合成するＩ相合成部と、該Ｉ相合成部により合成されたＩ相拡散信号をＤ／Ａ変換するＩ相Ｄ／Ａ変換器と、複数チャネルのＱ相拡散信号を合成するＱ相合成部と、該Ｑ相合成部により合成されたＱ相拡散信号をＤ／Ａ変換するＱ相Ｄ／Ａ変換器と、前記Ｉ相Ｄ／Ａ変換器とＱ相Ｄ／Ａ変換器から出力される信号を直交変調する直交変調部と、該直交変調部からの信号を送信電力制御値によりゲイン調整して送信出力するアンプ部と、より構成されるＣＤＭＡ通信装置の送信電力制御装置において、総電力検出部と、送信電力制御部と、を備え、前記総電力検出部は、前記Ｉ相合成部及びＱ相合成部の出力より全拡散信号の総電力値を検出して送信電力制御部へ出力し、前記送信電力制御部は、該送信電力制御装置の外部より入力された前記送信電力制御値Ｔと、前記総電力検出部から入力される前記総電力値により算出した重み付け係数αの比Ｔ／αを前記Ｉ相合成部及びＱ相合成部に出力し、一方前記算出した重み付け係数αを新たな送信電力制御値として前記アンプ部に出力し、前記Ｉ相合成部は、入力されるＩ相拡散信号に前記の比Ｔ／αを乗算すると共に合成して出力し、前記Ｑ相合成部は、入力されるＱ相拡散信号に前記の比Ｔ／αを乗算すると共に合成して出力し、前記ゲイン調整して送信出力するアンプ部は、前記Ｉ相合成部及び前記Ｑ相合成部から出力されて前記直交変調部を経た信号を前記重み付け係数αによりゲイン調整して出力することを特徴とするＣＤＭＡ通信装置の送信電力制御装置である。
【００１２】
上記従来の問題を解決するための本発明は、複数チャネルのＩ相拡散信号を加算するＩ相加算器と、該Ｉ相加算器により加算されたＩ相拡散信号をＤ／Ａ変換するＩ相Ｄ／Ａ変換器と、複数チャネルのＱ相拡散信号を加算するＱ相加算器と、該Ｑ相加算器により加算されたＱ相拡散信号をＤ／Ａ変換するＱ相Ｄ／Ａ変換器と、前記Ｉ相Ｄ／Ａ変換器とＱ相Ｄ／Ａ変換器から出力される信号を直交変調する直交変調部と、該直交変調部からの信号を送信電力制御値によりゲイン調整して送信出力するアンプ部と、より構成されるＣＤＭＡ通信装置の送信電力制御装置において、総電力検出部と、送信電力制御部と、複数のＩ相乗算器と、複数のＱ相乗算器と、を備え、前記総電力検出部は、前記Ｉ相加算器及びＱ相加算器の出力より全拡散信号の総電力値を検出して送信電力制御部へ出力し、前記送信電力制御部は、該送信電力制御装置の外部より入力された各チャネルに対する複数の前記送信電力制御値Ｔ１、Ｔ２…Ｔｎと、前記総電力検出部から入力される前記総電力値により算出した複数の重み付け係数αの比Ｔ１／α、Ｔ２／α…Ｔｎ／αを前記複数のＩ相乗算器及びＱ相乗算器にそれぞれ出力し、一方前記算出した重み付け係数αを新たな送信電力制御値として前記アンプ部に出力し、前記複数のＩ相乗算器は、各々入力されるＩ相拡散信号と前記複数の比Ｔ１／α、Ｔ２／α…Ｔｎ／αをそれぞれ乗算して前記Ｉ相加算器に入力し、前記複数のＱ相乗算器は、各々入力されるＱ相拡散信号と前記複数の比Ｔ１／α、Ｔ２／α…Ｔｎ／αをそれぞれ乗算して前記Ｑ相加算器に入力し、前記Ｉ相加算器は、前記複数の乗算器から入力された複数のＩ相拡散信号を加算して出力し、前記Ｑ相加算器は、前記複数の乗算器から入力された複数のＱ相拡散信号を加算して出力し、前記ゲイン調整して送信出力するアンプ部は、前記Ｉ相合成部及び前記Ｑ相合成部から出力されて前記直交変調部を経た信号を前記重み付け係数αによりゲイン調整して出力することを特徴とするＣＤＭＡ通信装置の送信電力制御装置である。
【００１３】
上記従来の問題を解決するための本発明は、複数チャネルのＩ相拡散信号を加算するＩ相加算器と、該Ｉ相加算器により加算されたＩ相拡散信号をＤ／Ａ変換するＩ相Ｄ／Ａ変換器と、複数チャネルのＱ相拡散信号を加算するＱ相加算器と、該Ｑ相加算器により加算されたＱ相拡散信号をＤ／Ａ変換するＱ相Ｄ／Ａ変換器と、前記Ｉ相Ｄ／Ａ変換器とＱ相Ｄ／Ａ変換器から出力される信号を直交変調する直交変調部と、該直交変調部からの信号を送信電力制御値によりゲイン調整して送信出力するアンプ部と、より構成されるＣＤＭＡ通信装置の送信電力制御装置において、総電力検出部と、送信電力制御部と、Ｉ相乗算器と、Ｑ相乗算器と、を備え、前記総電力検出部は、前記Ｉ相乗算器及びＱ相乗算器の出力より全拡散信号の総電力値を検出して送信電力制御部へ出力し、前記送信電力制御部は、該送信電力制御装置の外部より入力された前記送信電力制御値Ｔと、前記総電力検出部から入力される前記総電力値により算出した重み付け係数αの比Ｔ／αを前記Ｉ相乗算器及びＱ相乗算器に出力し、一方前記算出した重み付け係数αを新たな送信電力制御値として前記アンプ部に出力し、前記Ｉ相乗算器は、前記Ｉ相加算器からの入力と前記の比Ｔ／αを乗算して総電力検出部及び前記Ｉ相Ｄ／Ａ変換器に入力し、前記Ｑ相乗算器は、前記Ｑ相加算器からの入力と前記の比Ｔ／αを乗算して総電力検出部及び前記Ｑ相Ｄ／Ａ変換器に入力し、前記ゲイン調整して送信出力するアンプ部は、前記Ｉ相合成部及び前記Ｑ相合成部から出力されて前記直交変調部を経た信号を前記重み付け係数αによりゲイン調整して出力することを特徴とするＣＤＭＡ通信装置の送信電力制御装置である。
【００１４】
上記従来の問題を解決するため請求項５記載の発明は、
請求項２又は請求項３又は請求項４記載の送信電力制御装置を含み、
送信を行う各チャネル毎に拡散符号を与えて拡散信号とし、
入力される受信信号により前記送信電力制御値Ｔを請求項２又は請求項３又は請求項４記載の送信電力制御装置に与える
ことを特徴とするＣＤＭＡ通信システムの基地局である。
【００１５】
【発明の実施の形態】
本発明の実施の形態について図面を参照しながら説明する。
図１は本発明の第１の実施例である送信電力制御装置であり、従来と同様なものには同様の符号で示している。
図２は本発明の第２の実施例である送信電力制御装置であり、本発明の第１の実施例である送信電力制御装置（図１）のＩ相合成部１１３及びＱ相合成部１１４について具体的に示したものである。その構成と動作及び作用について図２と図４を用いて次に詳述する。
【００１６】
図２における構成は、複数のＩ相拡散信号を加算するＩ相加算器２１と、該Ｉ相加算器２１により加算されたＩ相拡散信号をＤ／Ａ変換するＩ相Ｄ／Ａ変換器１５と、複数のＱ相拡散信号を加算するＱ相加算器２２と、該Ｑ相加算器２２により加算されたＱ相拡散信号をＤ／Ａ変換するＱ相Ｄ／Ａ変換器１６と、前記Ｉ相Ｄ／Ａ変換器１５とＱ相Ｄ／Ａ変換器１６から出力される信号を直交変調する直交変調部１７と、該直交変調部１７からの信号を送信電力制御値によりゲイン調整して送信出力するアンプ部１８と、総電力検出部１２と、送信電力制御部２１と、複数のＩ相乗算器２０１、２０２、…２０ｎと、複数のＱ相乗算器２１１、２１２、…２１ｎと、を備えたものである。
【００１７】
次に図２における各部の動作を説明する。送信電力制御部１１´は総電力検出部１２から入力してきた全コード加算後の総信号電力値を元に重み付け係数αを設定し、各コードの拡散ディジタル信号に対して送信電力制御値T1…Tｎと重み付け係数αの比T1／α…Tn／αを出力すると共に、アンプ部１８に重み付け係数αを出力するものである。
【００１８】
Ｉ相乗算器２０１、２０２、…２０ｎは各コードのＩ相拡散信号（ディジタル値）と、前記送信電力制御部２１から入力してきた送信電力制御値Ｔ１…Ｔｎと重み付け係数αの比Ｔ１／α…Ｔｎ／αを乗算するＩ相用の乗算器である。
【００１９】
Ｑ相乗算器２１１、２１２、…２１ｎは各コードのＱ相拡散信号（ディジタル値）と、上記送信電力制御部２１から入力してきた送信電力制御値Ｔ１…Ｔｎと重み付け係数αの比Ｔ１／α…Ｔｎ／αを乗算するＱ相用の乗算器である。
【００２０】
Ｉ相加算器２１は前記Ｉ相乗算器２０１、２０２、…２０ｎから入力してきた送信電力制御値Ｔ１…Ｔｎと重み付け係数αの比Ｔ１／α…Ｔｎ／αを乗算した後の各コードのＩ相拡散信号の全加算を行うＩ相用の加算器である。
【００２１】
Ｑ相加算器２２は前記Ｑ相乗算器２１１、２１２、…２１ｎから入力してきた送信電力制御値Ｔ１…Ｔｎと重み付け係数αの比Ｔ１／α…Ｔｎ／αを乗算した後の各コードのＱ相拡散信号の全加算を行うＱ相用の加算器である。
【００２２】
総電力検出部１２は前記Ｉ相加算器２１及びＱ相加算器２２から出力された送信電力制御値Ｔ１…Ｔｎと重み付け係数αの比Ｔ１／α…Ｔｎ／αを乗算した後の全コードのＩ相拡散ディジタル信号及びＱ相拡散ディジタル信号を元に全コード加算後の総信号電力値を検出するものである。
【００２３】
Ｉ相Ｄ／Ａ変換器１５は前記Ｉ相加算器２１から入力してきた全コードのＩ相加算信号をＤ／Ａ変換するＩ相用Ｄ／Ａコンバータであり、
Ｑ相Ｄ／Ａ変換器１６は前記Ｑ相加算器２２から入力してきた全コードのＱ相加算信号をＤ／Ａ変換するＱ相用Ｄ／Ａコンバータである。
【００２４】
直交変調部１７は前記Ｉ相Ｄ／Ａ変換器１５及びＱ相Ｄ／Ａ変換器１６を経て入力してきたＩ相加算アナログ信号及びＱ相加算アナログ信号を直交変調するものである。
【００２５】
アンプ部１８は前記直交変調部１７から入力してき直交変調信号を前記送信電力制御部から入力してきた重み付け係数αによってゲイン調整を行う増幅部である。
【００２６】
次に図２における作用について図４を用いながら説明する。図４は本発明の第２の実施例における信号電力値のイメージを示す。
図２において例えば、ｎユーザ数のＩ相及びＱ相の拡散ディジタル信号及び各コードに対する送信電力制御値Ｔ１、Ｔ２…Ｔｎが本回路に入力してきたとする。前述した従来技術と同様に各コードの信号電力値をＰとする。また電源投入時の初期状態においては送信電力制御部２１には総電力検出部１２からの入力がまだ無いため、重み付け係数の初期値αｉｎｉ（＞１）が予め設定されているとする。
【００２７】
送信電力制御部２１は重み付け係数αｉｎｉと、外部から入力してきた送信電力制御値Ｔ１、Ｔ２…Ｔｎの比Ｔ１／αｉｎｉ、Ｔ２／αｉｎｉ…Ｔｎ／αｉｎｉを各コードのＩ相乗算器２０１、２０２、…２０ｎ及びＱ相乗算器２１１、２１２、…２１ｎにそれぞれ出力するとともに、重み付け係数αｉｎｉをアンプ部１８に出力する。
Ｉ相乗算器２０１、２０２、…２０ｎ及びＱ相乗算器２１１、２１２、…２１ｎは各コードのＩ相及びＱ相の拡散ディジタル信号と送信電力制御部２１から入力してきた重み付け係数αｉｎｉと送信電力制御値Ｔ１、Ｔ２…Ｔｎの比Ｔ１／αｉｎｉ、Ｔ２／αｉｎｉ…Ｔｎ／αｉｎｉをそれぞれ乗算した後の各コードのＩ相及びＱ相の拡散ディジタル信号をＩ相加算器２１及びＱ相加算器２２にそれぞれ出力する。
各加算器出力後の各コードの信号電力値はそれぞれＴ１Ｐ／αｉｎｉ、Ｔ２Ｐ／αｉｎｉ、…ＴｎＰ／αｉｎｉ、となる。
Ｉ相加算器２１及びＱ相加算器２２はＩ相乗算器２０１、２０２、…２０ｎ及びＱ相乗算器２１１、２１２、…２１ｎから入力してきた重み付け係数αｉｎｉと前記の比Ｔ１／αｉｎｉ、Ｔ２／αｉｎｉ…Ｔｎ／αｉｎｉをそれぞれ乗算した後の各コードのＩ相及びＱ相の拡散ディジタル信号を全加算し、その結果としての全コードのＩ相加算信号（ディジタル値）及びＱ相加算信号（ディジタル値）を総電力検出部１２に出力する。
総電力検出部１２はＩ相加算器２１及びＱ相加算器２２から入力してきた全コードのＩ相加算信号及びＱ相加算信号をスルーで（または図中で示すように予め振り分けても良い）Ｉ相Ｄ／Ａ変換器１５及びＱ相Ｄ／Ａ変換器１６にそれぞれ出力すると共に、全コード加算後の総信号電力値を検出し、送信電力制御部２１に出力する。
総電力検出部１２で検出された信号電力値をＰｔｎとすると、式１に示すようになる。
【００２８】
【式１】
Ｐｔｎ＝Ｔ１Ｐ／αｉｎｉ＋Ｔ２Ｐ／αｉｎｉ＋…＋ＴｎＰ／αｉｎｉ
＝（Ｔ１＋Ｔ２＋…＋Ｔｎ）Ｐ／αｉｎｉ
【００２９】
Ｉ相Ｄ／Ａ変換器１５及びＱ相Ｄ／Ａ変換器１６は総電力検出部１２から入力してきた全コードのＩ相加算信号及びＱ相加算信号をそれぞれＤ／Ａ変換し、その結果としてのＩ相加算アナログ信号及びＱ相加算アナログ信号を直交変調部１７に出力する。
直交変調部１７はＩ相Ｄ／Ａ変換器１５及びＱ相Ｄ／Ａ変換器１６から入力してきたＩ相加算アナログ信号及びＱ相加算アナログ信号を直交変調し、その結果としての直交変調信号をアンプ部１８に出力する。
【００３０】
アンプ部１８は直交変調部１７から入力してきた直交変調信号を、送信電力制御部２１から入力してきた重み付け係数αｉｎｉによってゲイン調整した無線信号を送信する。
アンプ１８出力後の信号電力値Ｐｔは（Ｔ１＋Ｔ２＋…＋Ｔｎ）Ｐとなり、本来の送信電力制御後の信号電力値を有した直交変調信号が送信されることになる。また、送信電力制御部２１は総電力検出部１２から入力してきた総信号電力値Ｐｔｎにより重み付け係数αｉｎｉを更新し、以降の制御にはこの更新した重み付け係数αを使用する。
つまり、各コードの拡散信号が入力してくる毎に重み付け係数を更新していくことになり、この一連の動作により、コード多重信号が複数のユーザに使用される場合においての送信電力制御が可能となる。
【００３１】
本実施例においては、本来ならば各コードの送信電力制御値Ｔ１、Ｔ２…Ｔｎによって送信電力制御を行う所を、重み付け係数αとの比Ｔ１／α、Ｔ２／α…Ｔｎ／αを各コードに乗算してから全加算することにより、直交変調部に入力する信号電力値が直交変調部の性能としてのダイナミックレンジを超えないようにしている。
その後重み付け係数αでゲイン調整することにより本来の信号電力値を出力するようにしているので、受信側には何ら問題とならない。よって直交変調部の過入力による信号の歪みを軽減させると共に、コード別の送信電力制御を行うことが可能となる。
【００３２】
次に、本発明の第３の実施例である送信電力制御装置を図３に示す。
本発明の第１の実施例である送信電力制御装置（図１）のＩ相合成部及びＱ相合成部について、前述した図２とは別の構成として具体的に示したものである。その構成と動作及び作用について図３と図５を用いて次に詳述する。
【００３３】
図３における構成は、複数のＩ相拡散信号（ディジタル値）を加算するＩ相加算器２１と、該Ｉ相加算器２１により加算されたＩ相拡散信号をＤ／Ａ変換するＩ相Ｄ／Ａ変換器１５と、複数のＱ相拡散信号（ディジタル値）を加算するＱ相加算器２２と、該Ｑ相加算器２２により加算されたＱ相拡散信号をＤ／Ａ変換するＱ相Ｄ／Ａ変換器１６と、前記Ｉ相Ｄ／Ａ変換器１５とＱ相Ｄ／Ａ変換器１６から出力される信号を直交変調する直交変調部１７と、該直交変調部１７からの信号を送信電力制御値によりゲイン調整して送信出力するアンプ部１８と、総電力検出部１２と、送信電力制御部３１と、Ｉ相乗算器３０１と、Ｑ相乗算器３０２と、を備えたものである。
【００３４】
次に図３における各部の動作を説明する。
送信電力制御部３１は総電力検出部１２から入力してきた全コード加算後の総信号電力値を元に重み付け係数αを設定し、全コードの拡散ディジタル信号に対して送信電力制御値Ｔと重み付け係数αの比Ｔ／αを出力すると共に、アンプ部１８に重み付け係数αを出力するものである。
【００３５】
Ｉ相加算器２１は各コードのＩ相拡散信号（ディジタル値）を加算するＩ相用の加算器であり、またＱ相加算器２２は各コードのＱ相拡散信号（ディジタル値）を加算するＱ相用の加算器である。
【００３６】
Ｉ相乗算器３０１は前記Ｉ相加算器２１から入力してきた全コードのＩ相加算信号と、前記送信電力制御部３１から入力してきた送信電力制御値Ｔと重み付け係数αの比Ｔ／αを乗算するＩ相用の乗算器である。
Ｑ相乗算器３０２は前記Ｑ相加算器２２から入力してきた全コードのＱ相加算信号と、前記送信電力制御部３１から入力してきた送信電力制御値Ｔと重み付け係数αの比Ｔ／αを乗算するＱ相用の乗算器である。
【００３７】
総電力検出部１２は前記Ｉ相乗算器３０１及びＱ相乗算器３０２から出力された送信電力制御値Ｔと重み付け係数αの比Ｔ／αを乗算した後の全コードのＩ相加算信号及びＱ相加算信号を元に全コード加算後の総信号電力値を検出するものである。
【００３８】
Ｉ相Ｄ／Ａ変換器１５は前記Ｉ相乗算器３０１から入力してきた送信電力制御値Ｔと重み付け係数αの比Ｔ／αを乗算した後の全コードのＩ相加算信号をアナログ信号に変換するＩ相用Ｄ／Ａコンバータである。
Ｑ相Ｄ／Ａ変換器１６は前記Ｑ相乗算器３０２から入力してきた送信電力制御値Ｔと重み付け係数αの比Ｔ／αを乗算した後の全コードのＱ相加算信号をアナログ信号に変換するＱ相用Ｄ／Ａコンバータである。
【００３９】
直交変調部１７は前記Ｉ相Ｄ／Ａ変換器１５及びＱ相Ｄ／Ａ変換器１６から入力してきたＩ相加算アナログ信号及びＱ相加算アナログ信号を直交変調するものである。
【００４０】
アンプ部１８は前記直交変調部１７から入力してきた直交変調信号を前記送信電力制御部３１から入力してきた重み付け係数αによってゲイン調整を行う増幅部である。
【００４１】
次に図３における作用について図５を用いながら説明する。図５は本発明の第３の実施例における信号電力値のイメージを示す図である。
図３において例えば、  ｎコード数のＩ相及びＱ相の拡散ディジタル信号及び全コードに対する送信電力制御値Ｔが本回路に入力してきたとする。
前述した第２の実施例と同様に各コードの信号電力値をＰ、送信電力制御部３１に設定されている重み付け係数はαｉｎｉ（＞１）とする。
【００４２】
送信電力制御部３１は重み付け係数αｉｎｉと、外部から入力してきた送信電力制御値Ｔの比Ｔ／αｉｎｉをＩ相乗算器３０１及びＱ相乗算器３０２に出力するとともに、重み付け係数αｉｎｉをアンプ部１８に出力する。
Ｉ相加算器２１及びＱ相加算器２２は各コードのＩ相及びＱ相の拡散ディジタル信号を全加算し、その結果としての全コードのＩ相加算信号（ディジタル値）及びＱ相加算信号（ディジタル値）をＩ相乗算器３０１及びＱ相乗算器３０２に出力する。全コード加算後の信号電力値はｎＰとなる。
【００４３】
Ｉ相乗算器３０１及びＱ相乗算器３０２はＩ相加算器２１及びＱ相加算器２２から入力してきた全コードのＩ相加算信号及びＱ相加算信号と送信電力制御部３１から入力してきた重み付け係数αｉｎｉと送信電力制御値Ｔの比Ｔ／αｉｎｉをそれぞれ乗算した後の全コードのＩ相及びＱ相の加算信号を総電力検出部１２に出力する。
総電力検出部１２はＩ相乗算器３０１及びＱ相乗算器３０２から入力してきた送信電力制御後の全コードのＩ相及びＱ相の加算信号をスルーで（図中で示すように予め振り分けても良い）Ｉ相Ｄ／Ａ変換器１５及びＱ相Ｄ／Ａ変換器１６にそれぞれ出力すると共に、全コード加算後の総信号電力値を検出し、送信電力制御部３１に出力する。
総電力検出部１２で検出された信号電力値をＰｔｎとすると、次の式２に示すようになる。
【００４４】
【式２】
Ｐｔｎ＝ｎＴＰ／αｉｎｉ
【００４５】
以降のＩ相Ｄ／Ａ変換器１５、Ｑ相Ｄ／Ａ変換器１６、直交変調部１７、アンプ部１８の動作は前述した本発明の第２の実施例と同様である。また、送信電力制御部３１における重み付け係数αの更新操作も同様である。
【００４６】
アンプ部１８からの出力後の信号電力値ＰｔはｎＴＰとなり、本来の送信電力制御後の信号電力値を有した直交変調信号が送信されることになる。この一連の動作により、コード多重信号が１ユーザにのみ使用されるような場合においても送信電力制御が可能となる。
【００４７】
本実施例においては、全コードの拡散ディジタル信号を全加算するところまでは図８に示したような従来技術と同様であり、信号電力値はｎＰとなり直交変調部のダイナミックレンジを超えている。
しかし、本来ならば各コードの送信電力制御値Ｔによって送信電力制御するところを重み付け係数αとの比Ｔ／αを全コードの加算ディジタル信号に乗算することにより、直交変調部に入力する信号電力値が直交変調部の性能としてのダイナミックレンジを超えないようにしている。
その後重み付け係数αでゲイン調整することにより本来の信号電力値を出力するようにしているので、受信側には何ら問題はない。この一連の操作により、直交変調部の過入力による信号の歪みを軽減させることが可能になり、良好な特性を得る事が出来る。
【００４８】
次に、本発明の送信電力制御装置を組込んだＣＤＭＡ基地局を図９を用いて説明する。
図９におけるＣＤＭＡ基地局の概略構成は、各ＣＤＭＡ端末からの送信データを受信する受信アンテナと、受信したデータを処理する受信制御部と、各ＣＤＭＡ端末へ送信すべきデータを処理する送信処理部と、送信アンテナと、基地局全体の制御を行う制御部とより構成されている。
【００４９】
ここで、前記受信制御部は、ＲＦ部と、受信信号を処理する受信信号処理部と、該受信信号を元に送信電力制御値Ｔを設定し送信制御部へ出力する送信電力制御値設定部とより構成され、また、送信制御部は、コード毎に通信の確立が行われるために各コード毎に拡散符号を出力する拡散符号発生部と、この出力された拡散符号を入力し各コードの拡散符号（ディジタル値）として用いる本発明の送信電力制御装置と、ＴＸ部とより構成されＣＤＭＡ通信システムに用いられる基地局とするものである。
【００５０】
【発明の効果】
本発明の送信電力制御装置によれば、コード別制御型の場合は送信電力制御を各コード別に行うことにより従来の問題点である複数のコード（ユーザ）使用時の干渉を軽減することが可能になる。
また、コード別型及びコード一括型の場合においても直交変調部入力前の拡散信号に重み付けを行うことにより、直交変調部への過入力を防ぐ事が可能になる。よって従来の問題点である無線信号の歪みを軽減することができるので、良好な特性を得る事が可能になる。
更には本発明の送信電力制御装置をＣＤＭＡ通信システムの基地局に組み込み用いることで各ユーザへの送信信号の干渉や歪みを軽減でき、その効果は著しいものである。
【００５１】
【図面の簡単な説明】
【図１】本発明の第１の実施例である送信電力制御装置
【図２】本発明の第２の実施例である送信電力制御装置
【図３】本発明の第３の実施例である送信電力制御装置
【図４】本発明の第２の実施例における信号電力値
【図５】本発明の第３の実施例における信号電力値
【図６】従来の送信電力制御装置例における信号電力値
【図７】従来の第１の送信電力制御装置例
【図８】従来の第２の送信電力制御装置例
【図９】本発明の送信電力制御装置を組込んだＣＤＭＡ基地局
【符号の説明】
１１３、１３…Ｉ相合成部、１１４、１４…Ｑ相合成部、２０１、２０２、２０ｎ、３０１…Ｉ相乗算器、２１１、２１２、２１ｎ、３０２…Ｑ相乗算器、２１…Ｉ相加算器、２２…Ｑ相加算器、１２…総電力検出部、１５…Ｉ相Ｄ／Ａ変換器、１６…Ｑ相Ｄ／Ａ変換器、１７…直交変調部、１８…アンプ部、１１、１１'、１１''…送信電力制御部
【図１】
0004185601.tif 000002
【図２】
0004185601.tif 000003
【図３】
0004185601.tif 000004
【図４】
0004185601.tif 000005
【図５】
0004185601.tif 000006
【図６】
0004185601.tif 000007
【図７】
0004185601.tif 000008
【図８】
0004185601.tif 000009
【図９】
0004185601.tif 000010